(57)【要約】【課題】復水器冷却水の温度差に起因する、低温側ドレンの過冷却を抑制する。【解決手段】実施形態における復水器は、タービン排気蒸気を内側に流れる流体で熱交換して凝縮する冷却管束と、前記冷却管束を介して凝縮したドレンを貯留するホットウェルと、前記冷却管束における前記流体の入口側である前記冷却管束の低温側の下方に設けられ、前記冷却管束の低温側を介して凝縮して前記ホットウェルに貯留する前の低温側ドレンの一部を回収し、前記回収した低温側ドレンが、前記冷却管束の低温側の下方以外に散水されるように側板を設けた低温側ドレン回収トレーとを有する。【選択図】図１
2018021736.tif 000002
【特許請求の範囲】
【請求項１】
タービン排気蒸気を内側に流れる流体で熱交換して凝縮する冷却管束と、
前記冷却管束を介して凝縮したドレンを貯留するホットウェルと、
前記冷却管束における前記流体の入口側である前記冷却管束の低温側の下方に設けられ、前記冷却管束の低温側を介して凝縮して前記ホットウェルに貯留する前の低温側ドレンの一部を回収し、前記回収した低温側ドレンが、前記冷却管束の低温側の下方以外に散水されるように側板を設けた低温側ドレン回収トレーと
を備えたことを特徴とした復水器。
【請求項２】
タービン排気蒸気を内側に流れる流体で熱交換して凝縮する冷却管束と、
前記冷却管束を介して凝縮したドレンを貯留するホットウェルと、
前記冷却管束の下方かつ前記冷却管束の長手方向に渡って設けられ、前記冷却管束における前記流体の入口側である前記冷却管束の低温側を介して凝縮して前記ホットウェルに貯留する前の低温側ドレンの一部を回収し、前記回収した低温側ドレンが、前記冷却管束における前記流体の出口側である前記冷却管束の高温側の下方に散水されるように側板を設けた低温側ドレン回収トレーと
を備えたことを特徴とした復水器。
【請求項３】
タービン排気蒸気を内側に流れる流体で熱交換して凝縮する冷却管束と、
前記冷却管束を介して凝縮したドレンを貯留するホットウェルと、
前記冷却管束における前記流体の入口側である前記冷却管束の低温側の下方に設けられ、前記冷却管束の低温側を介して凝縮して前記ホットウェルに貯留する前の低温側ドレンの一部を回収する低温側ドレン回収トレーと、
前記低温側ドレン回収トレーにおける、同一の前記冷却管束における前記流体の出口側である前記冷却管束の高温側を向く側板に接続され、前記回収した低温側ドレンを前記冷却管束の高温側の下方の周囲に散水する連絡管と
を備えたことを特徴とした復水器。
【請求項４】
タービン排気蒸気を内側に流れる流体で熱交換して凝縮し、内側に流れる流体の流れが対向流となるように複数群で構成される冷却管束と、
前記冷却管束を介して凝縮したドレンを貯留するホットウェルと、
前記冷却管束における前記流体の入口側である、前記冷却管束の低温側の下方から、前記冷却管束に隣接する異なる第２の冷却管束における前記流体の出口側である、前記第２の冷却管束の高温側の下方に渡って設けられ、前記冷却管束の低温側を介して凝縮して前記ホットウェルに貯留する前の低温側ドレンの一部を回収し、前記回収した低温側ドレンが前記第２の冷却管束の高温側に散水されるように側板を設けた低温側ドレン回収トレーと
を備えたことを特徴とした復水器。
【請求項５】
タービン排気蒸気を内側に流れる流体で熱交換して凝縮し、内側に流れる流体の流れが対向流となるように複数群で構成される冷却管束と、
前記冷却管束を介して凝縮したドレンを貯留するホットウェルと、
前記冷却管束における前記流体の入口側である前記冷却管束の低温側の下方に設けられ、前記冷却管束の低温側を介して凝縮して前記ホットウェルに貯留する前の低温側ドレンの一部を回収する低温側ドレン回収トレーと、
前記低温側ドレン回収トレーにおける、前記冷却管束に隣接する異なる第２の冷却管束における前記流体の出口側である、前記第２の冷却管束の高温側を向く側板に接続され、前記回収した低温側ドレンを前記第２の冷却管束の高温側の下方の周囲に散水する連絡管と
を備えたことを特徴とした復水器。
【請求項６】
前記低温側ドレン回収トレーの底板に前記冷却管束の軸直方向に沿って設置される仕切板をさらに備えた
ことを特徴とする請求項４または５に記載の復水器。
【請求項７】
前記低温側ドレン回収トレーの底板の少なくとも一部を多孔板とした
ことを特徴とした請求項１乃至６のいずれかに記載の復水器。
【請求項８】
タービン排気蒸気を内側に流れる流体で熱交換して凝縮する冷却管束と、前記冷却管束を介して凝縮したドレンを貯留するホットウェルとを有する復水器の組立方法であって、
前記冷却管束における前記流体の入口側である前記冷却管束の低温側の下方に設けられ、前記冷却管束の低温側を介して凝縮して前記ホットウェルに貯留する前の低温側ドレンの一部を回収し、前記回収した低温側ドレンが、前記冷却管束の低温側の下方以外に散水されるように側板を設けた低温側ドレン回収トレーを配置した
ことを特徴とした復水器の組立方法。
【発明の詳細な説明】
【技術分野】
【０００１】
本発明の実施形態は、復水器およびその組立方法に関する。
【背景技術】
【０００２】
復水器とは、蒸気タービンからタービン排気口を通って流入した排気蒸気を熱交換により凝縮させ、ホットウェルに貯留させる熱交換器である。復水器の冷却管束の上段から中段で凝縮されたドレンが冷却管束内における降下に伴い過冷却されると、復水器から冷却水側に放出される熱量が増してプラント効率が低下することから、ドレンの過冷却を低減することが求められている。
【０００３】
そのため従来の復水器では、冷却管束で凝縮されたドレンを管束下部に設置された散水箱で回収した後、脱気トレーを通じて再熱脱気させながらホットウェルに落下させる再熱脱気装置を有する構造がとられている。
【先行技術文献】
【特許文献】
【０００４】
【特許文献１】特許第３７３５４６４号公報
【発明の概要】
【発明が解決しようとする課題】
【０００５】
しかしながら上述した従来の復水器では、冷却管束に対する冷却水出口（高温側）と冷却水入口（低温側）との温度差が大きい場合には、冷却水入口側で凝縮した過冷却ドレンが、その下方に設置された脱気トレーを大流量で流れ、このドレンは十分な再熱効果が得られる前にホットウェルヘ流入してしまい、ドレンの過冷却状態が解消されないという課題があった。
【０００６】
さらに、従来の復水器と比較し、冷却管束の低温側での蒸気凝縮量が多くなることから、冷却管束の低温側へ流入する排気蒸気の流速が増加するので、復水器の内部構造の振動および侵食等の悪影響についても懸念されている。
【０００７】
本発明が解決しようとする課題は、復水器冷却水の温度差に起因する、低温側ドレンの過冷却を抑制することが可能な復水器およびその組立方法を提供することである。
【課題を解決するための手段】
【０００８】
実施形態における復水器は、タービン排気蒸気を内側に流れる流体で熱交換して凝縮する冷却管束と、前記冷却管束を介して凝縮したドレンを貯留するホットウェルと、前記冷却管束における前記流体の入口側である前記冷却管束の低温側の下方に設けられ、前記冷却管束の低温側を介して凝縮して前記ホットウェルに貯留する前の低温側ドレンの一部を回収し、前記回収した低温側ドレンが、前記冷却管束の低温側の下方以外に散水されるように側板を設けた低温側ドレン回収トレーとを有する。
【発明の効果】
【０００９】
本発明によれば、復水器冷却水の温度差に起因する、低温側ドレンの過冷却を抑制することができる。
【図面の簡単な説明】
【００１０】
【図１】第１の実施形態における復水器の正面図。
【図２】第１の実施形態における復水器の正面図。
【図３】第１の実施形態における復水器の低温側ドレン回収トレーの構造の一例を示す図。
【図４】第１の実施形態における復水器の低温側ドレン回収トレーの構造の一例を示す図。
【図５】第１の実施形態における復水器の低温側ドレン回収トレーの構造の一例を示す図。
【図６】第１の実施形態における復水器の低温側ドレン回収トレーの構造の一例を示す図。
【図７】第２の実施形態における復水器の側面図。
【図８】第２の実施形態における復水器の上面図。
【図９】第３の実施形態における復水器の側面図。
【図１０】第３の実施形態における復水器の上面図。
【図１１】第３の実施形態における復水器の低温側ドレン回収トレーに設けられる連絡管の一例を示す図。
【図１２】第４の実施形態における復水器の正面図。
【図１３】第４の実施形態における復水器の上面図。
【図１４】第５の実施形態における復水器の正面図。
【図１５】第５の実施形態における復水器の上面図。
【図１６】第６の実施形態における復水器の低温側ドレン回収トレーに設けられる仕切板の一例を示す図。
【図１７】第７の実施形態における復水器の正面図。
【図１８】第７の実施形態における復水器の上面図。
【発明を実施するための形態】
【００１１】
以下、実施形態について図面を用いて説明する。  
（第１の実施形態）
まず、第１の実施形態について説明する。  
［構成］
図１は、第１の実施形態における復水器の正面図である。図２は、第１の実施形態における復水器の上面図である。図２は、図１のＡ方向からみた上面図である。  
図１、２に示すように、蒸気タービン発電プラントにおける復水器１は、低圧タービン排気口２と、タービン排気蒸気を内側に流れる流体、例えば海水で熱交換して凝縮させる冷却管束３と、この冷却管束３内を流れる流体を導入させるために復水器胴外面に設置される水室４と、冷却管束３を介して凝縮したドレン（凝縮水）を一時的に貯留するホットウェル５とを備える。  
図１、２に示すように、復水器１は、平面形状がほぼ矩形をした容器を有し、この容器の上部に、軸を水平にした図示しない蒸気タービンが低圧タービン排気口２を介して設置される。
【００１２】
復水器１内の下部には、複数の冷却管がタービンの軸と平行に格子状に配列され、その集合体により冷却管束３を構成している。この冷却管束３の一端には、冷却水入口８（冷却管束３への冷却水の入口）を含む水室４が連通し、他端には冷却水出口９（冷却管束３からの冷却水の入口）を含む水室４が連通する。冷却管束３における冷却水入口８側は冷却管束低温側３ａとなり、冷却管束３における冷却水出口９側は冷却管束高温側３ｂとなる。
【００１３】
図２に示すように、低圧タービン排気口２から流入する排気蒸気７を凝縮させることを目的として、冷却管束３は、管内流が対向流となるように複数群で構成される。図２に示した例では、理解を容易とするために、冷却管束低温側３ａと冷却管束高温側３ｂの位置関係が逆になるように、１つ目の冷却管束３と２つ目の冷却管束３とが隣接して設置される例を示す。つまり、１つ目の冷却管束３における冷却管束低温側３ａは、この１つ目の冷却管束３に隣接する２つ目の冷却管束３の冷却管束高温側３ｂと隣接する。
【００１４】
上記のような復水器１において、蒸気タービンからの蒸気流は、低圧タービン排気口２より内部に流入され、排気蒸気７として冷却管束３に向かって下降する。  
この下降した排気蒸気７は、冷却管束３と接し、この冷却管束３中の冷却管の中を通水される冷却水との間で熱交換を行う。冷却管束３中では、排気蒸気７は冷却管との接触によりその潜熱を奪われて凝縮され、ドレンが発生する。冷却管束低温側３ａから下降するドレンは低温側ドレン１０であり、冷却管束高温側３ｂから下降するドレンは高温側ドレン１１である。
【００１５】
これらのドレンは、冷却管束３中の冷却管の表面に沿って下降しながら蒸気流による加熱と冷却水による冷却を繰り返しながら滴下し、ホットウェル５に貯留された後、復水となる。
【００１６】
本実施形態では、冷却管束３における冷却管束低温側３ａの下方かつホットウェル５の上方に低温側ドレン回収トレー６が設置される。この低温側ドレン回収トレー６は、冷却管束低温側３ａから下降してホットウェル５に貯留する前の低温側ドレン１０の一部を回収し、この低温側ドレン１０を冷却管束３の冷却管束低温側３ａの下方（本来の降水位置）以外に散水させる構造を有する。
【００１７】
低温側ドレン回収トレー６における、低温側ドレン１０を散水させる構造の例を説明する。図３、図４、図５、図６は、第１の実施形態における復水器の低温側ドレン回収トレーの構造の一例を示す図である。  
図３に示した例では、低温側ドレン回収トレー６における、四方のうち低温側ドレン１０の散水目標方向に対応する側板は設置されない。ここでは、散水目標方向は、冷却管束３の冷却管束低温側３ａの下方に対して斜め下の方向を指す。以下の図４、５、６に示す例でも同様である。
【００１８】
図４で示した例では、低温側ドレン回収トレー６における低温側ドレン１０の散水目標方向に対応する側板の高さは、散水目標方向以外の方向に対応する側板の高さより低い。  
図５に示した例では、低温側ドレン回収トレー６における低温側ドレン１０の散水目標方向に対応する側板に切欠きが設けられ、この切り欠かれた部分の高さは、散水目標方向以外の方向に対応する側板の高さより低い。
【００１９】
図６に示した例では、低温側ドレン回収トレー６における低温側ドレン１０の散水目標方向に対応する側板に任意数量の貫通穴が設けられ、この穴から低温側ドレン１０が散水される。
【００２０】
［作用］
低温側ドレン回収トレー６は、冷却管束低温側３ａで凝縮された低温側ドレン１０の一部を回収し、この回収した低温側ドレン１０を、本来の降水位置、つまり低温側ドレン回収トレー６を設置しない場合の、冷却管束低温側３ａの下方の降水位置とは異なる位置に散水させる。
【００２１】
［効果］
第１の実施形態では、冷却管束低温側３ａで発生した低温側ドレン１０の一部を本来の降水位置とは異なる位置に散水させることで、本来の降水位置での低温側ドレン１０が大流量であることに起因する再熱蒸気量不足を解消させ、ドレン過冷却を抑制することが可能となる。
【００２２】
（第２の実施形態）
次に、第２の実施形態について説明する。尚、以下の各実施形態における復水器の基本的な構成は、第１の実施形態と同じである。そこで、以下の各実施形態において同じ機能を有する構成部品に対して各図中において、同じ符号を付し、詳細な説明は第１の実施形態の記載および図面を参酌することとする。
【００２３】
［構成］
図７は、第２の実施形態における復水器の側面図である。図８は、第２の実施形態における復水器の上面図である。図８は、図７のＢ方向からみた上面図である。  
第２の実施形態では、低温側ドレン回収トレー６は、冷却管束３の下方かつ、この冷却管束３の長手方向に沿って、冷却管束３における冷却管束低温側３ａの端部から冷却管束高温側３ｂに渡る。この低温側ドレン回収トレー６は、冷却管束低温側３ａの下方の全体をふさぐように配置され、冷却管束高温側３ｂの下方の一部をふさぐように配置される。
【００２４】
第１の実施形態と比較して、第２の実施形態における低温側ドレン回収トレー６は、冷却管束高温側３ｂへ向かって延長された構造となっている。ただし、低温側ドレン回収トレー６は、冷却管束高温側３ｂの端部およびその付近までは延長されない。
【００２５】
また、低温側ドレン回収トレー６には、四方のうち冷却管束高温側３ｂを向く方向に対応する側面に、図５、６、７、８で示すような散水構造を有し、その他の方向に対応する側面には散水構造を有しないように側板が設けられる。
【００２６】
［作用］
低温側ドレン回収トレー６は、冷却管束低温側３ａで凝縮された低温側ドレン１０の一部を回収し、この低温側ドレン１０を、同一の冷却管束３内の冷却管束高温側３ｂの周囲の下方で散水させる。
【００２７】
［効果］
第２の実施形態では、冷却管束低温側３ａで発生した低温側ドレン１０の一部を、低温側ドレン回収トレー６を通じて同一の冷却管束３の冷却管束高温側３ｂの下方へ分配することで、第１の実施形態と同様に、冷却管束低温側３ａの下方での低温側ドレン１０の大流量に起因する再熱蒸気量不足を解消させ、第１の実施形態のようにドレン過冷却を抑制することが可能である。
【００２８】
また、第２の実施形態では、上記の効果に加え、低温側ドレン回収トレー６を通じて冷却管束高温側３ｂの下方ヘ分配した低温側ドレン１０と、同一の冷却管束３の冷却管束高温側３ｂの下方ヘ降水してホットウェル５に貯留する前の高温側ドレン１１との混合により生じる混合ドレン１２を再熱させるように、排気蒸気７が冷却管束高温側３ｂの下方へ流入する。よって、復水器全体の排気蒸気流速のアンバランスを解消し、冷却管束低温側３ａの周辺での高流速を解消することが可能である。
【００２９】
（第３の実施形態）
次に、第３の実施形態について説明する。  
［構成］
図９は、第３の実施形態における復水器の側面図である。図１０は、第３の実施形態における復水器の上面図である。図１０は、図９のＣ方向からみた上面図である。図１１は、第３の実施形態における復水器の低温側ドレン回収トレーに設けられる連絡管の一例を示す図である。  
第３の実施形態では、冷却管束低温側３ａの下方に、図１１で示すような、先端に散水構造を有する任意数量の連絡管１３を、同一の冷却管束３内の冷却管束高温側３ｂの方向を向く側板に接続した低温側ドレン回収トレー６が設置される。  
つまり、第１の実施形態と比較して、第３の実施形態では、低温側ドレン回収トレー６に連絡管１３が取り付けられた構造となっている。
【００３０】
［作用］
第２の実施形態と同様に、低温側ドレン回収トレー６は、冷却管束低温側３ａで凝縮された低温側ドレン１０の一部を回収し、この低温側ドレン１０を、同一の冷却管束３内の冷却管束高温側３ｂの周囲の下方で散水させる。
【００３１】
［効果］
第３の実施形態では、低温側ドレン回収トレー６に連絡管１３を取り付けた構造としているので、冷却管束３内の冷却管束高温側３ｂの周囲の下方で散水するために、第２の実施形態のように低温側ドレン回収トレー６自体を冷却管束高温側３ｂへ向かって延長する必要がなくなるので、低温側ドレン回収トレー６を小型化することができる。
【００３２】
また、連絡管１３を用いた場合、第２の実施形態のように低温側ドレン回収トレー６を冷却管束高温側３ｂに設ける場合と比較して、排気蒸気７の流れの阻害を低減できるので、第２の実施形態と比較して排気蒸気７の圧力損失を低減することができる。  
また、第３の実施形態では、第２の実施形態で述べたようにドレン過冷却を抑制し、復水器全体の排気蒸気流速のアンバランスを解消し、冷却管束低温側３ａ周辺での高流速を解消することが可能である。
【００３３】
（第４の実施形態）
次に、第４の実施形態について説明する。  
［構成］
図１２は、第４の実施形態における復水器の正面図である。図１３は、第４の実施形態における復水器の上面図である。図１３は、図１２のＤ方向からみた上面図である。  
第４の実施形態では、低温側ドレン回収トレー６は、管内流が対向流となるように複数群で構成される冷却管束３のうち、１つ目の冷却管束３の冷却管束低温側３ａの下方から、この１つ目の冷却管束３に隣接する２つ目の冷却管束３の冷却管束高温側３ｂの下方に渡る構造を有する。
【００３４】
この低温側ドレン回収トレー６は、冷却管束低温側３ａの下方の全体および冷却管束高温側３ｂの下方の全体をふさぐように配置される。  
また、低温側ドレン回収トレー６には、四方のうち上記の２つ目の冷却管束３の冷却管束高温側３ｂの方向に対応する側面に図５、６、７、８で示すような散水構造を有し、その他の方向に対応する側面には散水構造を有しないように側板が設けられる。
【００３５】
［作用］
第４の実施形態では、低温側ドレン回収トレー６は、１つ目の冷却管束３の冷却管束低温側３ａで凝縮された低温側ドレン１０の一部を回収し、この低温側ドレン１０を、１つ目の冷却管束３に隣接する、２つ目の冷却管束３の冷却管束高温側３ｂの周囲の下方で散水させる。
【００３６】
［効果］
第４の実施形態では、１つ目の冷却管束３の冷却管束低温側３ａで発生した低温側ドレン１０の一部を、この１つ目の冷却管束３に隣接する、２つ目の冷却管束３の冷却管束高温側３ｂ下方へ、低温側ドレン回収トレー６を通じて分配することで、冷却管束低温側３ａの下方での低温側ドレン１０の大流量に起因する再熱蒸気量不足を解消させ、第２および第３の実施形態と同様に、ドレン過冷却を抑制することが可能である。  
また、２つ目の冷却管束３の冷却管束高温側３ｂの下方ヘ分配した低温側ドレン１０とこの冷却管束高温側３ｂから降下する高温側ドレン１１との混合により生じる混合ドレン１２を再熱させるように、排気蒸気７は、２つ目の冷却管束３の冷却管束高温側３ｂの下方へ流入する。よって、第２および第３の実施形態と同様に、復水器全体の排気蒸気流速のアンバランスおよび冷却管束低温側３ａ周辺での高流速を解消することが可能である。
【００３７】
（第５の実施形態）
次に、第５の実施形態について説明する。この第５の実施形態は、第４の実施形態がもつ特徴と第３の実施形態がもつ特徴とを併せもつものに相当する。  
［構成］
図１４は、第５の実施形態における復水器の正面図である。図１５は、第５の実施形態における復水器の上面図である。図１５は、図１４のＥ方向からみた上面図である。  
第５の実施形態では、管内流が対向流となるように複数群で構成される冷却管束３のうち、１つ目の冷却管束３の冷却管束低温側３ａの下方に、第３の実施形態で説明した図１１に示すような、先端に散水構造を有する任意数量の連絡管１３を、この冷却管束３に隣接する、２つ目の冷却管束３の冷却管束高温側３ｂの方向を向く側板に接続した低温側ドレン回収トレー６が設置される。
【００３８】
［作用］
第５の実施形態では、第４の実施形態と同様に、低温側ドレン回収トレー６は、１つ目の冷却管束３の冷却管束低温側３ａで凝縮された低温側ドレン１０の一部を回収し、この低温側ドレン１０を、１つ目の冷却管束３に隣接する２つ目の冷却管束３の冷却管束高温側３ｂの周囲の下方で散水させる。
【００３９】
［効果］
第５の実施形態では、連絡管１３を使用することによって、第３の実施形態と同様に、低温側ドレン回収トレー６を小型化することができる。  
また、この連絡管１３は、第４の実施形態のように低温側ドレン回収トレー６を２つ目の冷却管束３の冷却管束高温側３ｂに設ける場合と比較して、排気蒸気７の流れを阻害しないので、第４の実施形態と比較して、また、第３の実施形態と同様に、排気蒸気流の圧力損失を低減することができる。
【００４０】
また、第５の実施形態では、第２ないし第４の実施形態と同様に、ドレン過冷却を抑制し、復水器全体の排気蒸気流速のアンバランスを解消し、冷却管束低温側３ａの周辺での高流速を解消することが可能である。
【００４１】
（第６の実施形態）
次に、第６の実施形態について説明する。  
［構成］
図１６は、第６の実施形態における復水器の低温側ドレン回収トレーに設けられる仕切板の一例を示す図である。  
この第６の実施形態では、第４、５の実施形態で説明した低温側ドレン回収トレー６について、図１６に示すように、回収した低温側ドレン１０を仕切るための仕切板１４を冷却管束３の軸直方向に任意数量だけ設置する。図１６に示した例では、連絡管１３の数と仕切板１４で仕切られたエリアの数が同じであるが、これらが同じでなくともよく、例えば、仕切板１４で仕切られた１つのエリアと２つの連絡管１３とを繋げる構成としてもよい。
【００４２】
［作用］
低温側ドレン回収トレー６は、冷却管束低温側３ａで凝縮された低温側ドレン１０を回収し、仕切板１４で仕切られた低温側ドレン１０を、第４および第５の実施形態のように隣接する他の冷却管束３内の冷却管束高温側３ｂの下方で散水させる。
【００４３】
［効果］
第６の実施形態では、冷却管軸直方向に設置された仕切板１４を有する低温側ドレン回収トレー６は、冷却位置によって温度が異なるドレンを混合することなく回収し、この回収したドレンを冷却管束高温側３ｂの下方で散水することで、第４および第５の実施形態で得られる、冷却水過冷却の抑制効果および排気蒸気のアンバランス解消効果を向上させることが可能である。
【００４４】
（第７の実施形態）
次に、第７の実施形態について説明する。  
［構成］
図１７は、第７の実施形態における復水器の正面図である。図１８は、第７の実施形態における復水器の上面図である。図１８は、図１６のＦ方向からみた上面図である。  
第７の実施形態では、低温側ドレン回収トレー６の底板の一部あるいは全体を多孔板１５として、穴径を調整することで任意位置での散水量を設定し、散水した飽和水の加熱を促進させる構造を有する。図１７、１８に示した例は、第４の実施形態で説明した復水器において、低温側ドレン回収トレー６の底板の一部を多孔板１５とした例である
［作用］
第７の実施形態では、低温側ドレン回収トレー６における、冷却管束３の下部に位置せず、排気蒸気７がドレンの再熱を行うことができない箇所に位置する底板あるいは側板、もしくはその双方の一部あるいは全体を多孔板１５とする。  
また、この多孔板１５から低温側ドレン１０を降水させるように多孔板１５における穴の位置および穴径を設定する。これにより、第１ないし第６の実施形態で説明した復水器と比較し、散水した飽和水の排気蒸気７による加熱を促進させることができる。
【００４５】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１…復水器、２…低圧タービン排気口、３…冷却管束、３ａ…冷却管束低温側、３ｂ…冷却管束高温側、４…水室、５…ホットウェル、６…低温側ドレン回収トレー、７…排気蒸気、８…冷却水入口、９…冷却水出口、１０…低温側ドレン、１１…高温側ドレン、１２…混合ドレン、１３…連絡管、１４…仕切板、１５…多孔板。
【図１】
2018021736.tif 000003
【図２】
2018021736.tif 000004
【図３】
2018021736.tif 000005
【図４】
2018021736.tif 000006
【図５】
2018021736.tif 000007
【図６】
2018021736.tif 000008
【図７】
2018021736.tif 000009
【図８】
2018021736.tif 000010
【図９】
2018021736.tif 000011
【図１０】
2018021736.tif 000012
【図１１】
2018021736.tif 000013
【図１２】
2018021736.tif 000014
【図１３】
2018021736.tif 000015
【図１４】
2018021736.tif 000016
【図１５】
2018021736.tif 000017
【図１６】
2018021736.tif 000018
【図１７】
2018021736.tif 000019
【図１８】
2018021736.tif 000020